(57)【要約】      （修正有）【課題】燃料の補充が容易であって信頼性及び取扱性に優れ、主として災害時等における緊急照明として好適なオイルランプを提供する。【解決手段】食用油Ｌが貯留される容器２０と、所定長さの灯芯１０と、灯芯１０の一端部を保持する灯芯保持具２と、灯芯保持具２を容器２０内に収納し且つ灯芯１０の他端部を食用油Ｌに浸漬させた状態で該容器２０側に支持する支持具３を備える。係る構成によれば、家庭においては常に何らかの食用油がストックされているのが常態であることに鑑みれば、食用油を燃料として用いることで、例えば震災等の災害時において停電が発生したような場合における緊急用の照明として利用するに好適であり、また燃料として用いる食用油Ｌは引火点が比較的高いことから、灯芯１０の温度が高くなっても引火しにくく、安全性の高いオイルランプを提供できる。【選択図】図１
0003219766.tif 000002
【実用新案登録請求の範囲】
【請求項１】
上面が開口し且つその内部に燃料としての食用油が貯留される容器と、
所定長さの灯芯と、
上記灯芯の一端部を保持する灯芯保持具と、
該灯芯保持具を上記容器内に収納し且つ上記灯芯の他端部を上記食用油に浸漬させた状態で該容器側に支持する支持具を備えたことを特徴とするオイルランプ。
【請求項２】
請求項１において、
上記支持具は、上記灯芯保持具に着脱自在に取り付けられる筒体と、可撓性をもつ所定長さの金属線材又は金属帯板材で構成され、その一端が上記筒体に固定されるとともに他端側が上記容器に掛止又は載置される支持材を備えて構成されたことを特徴とするオイルランプ。
【請求項３】
請求項１又は２において、
上記灯芯保持具には、該灯芯保持具内に挿通される上記灯芯にその側方から係止し且つ回転駆動されることで該灯芯を上記灯芯保持具の上端側へ送り出す灯芯送り材が設けられていることを特徴とするオイルランプ。
【考案の詳細な説明】
【技術分野】
【０００１】  本願考案は、食用油を燃料として用いる災害時等における緊急照明用のオイルランプに関するものである。
【背景技術】
【０００２】  台風、地震等の災害発生時には、送電線を通しての電力供給が困難となり、停電状態が発生することが往々にしてあり、係る場合、身の安全を図り、平常心を保つ等の観点から照明を確保することが最重要課題となる。このような災害時等の緊急照明として利用できる照明器具としては、電池式電灯（特許文献１参照）、蝋燭、ランタン（特許文献２参照）、オイルランプ（特許文献３参照）等が考えられる。【０００３】  しかし、特許文献１に示されるような電池式電灯は、電池切れにて使用不能となり、また家庭において電池のストックがない場合もあり、停電状態が長く続く場合には緊急用照明としての利用が困難となる。【０００４】  蝋燭を照明として使用する場合は、転倒等の危険性があるとともに、風による立ち消えが懸念され、緊急用照明としては利用しにくい。【０００５】  特許文献２に示されるランタンは、カセット式のガスボンベを備え、該ガスボンベから供給されるガスにて点灯するものであるが、このガスボンベは家庭での備蓄が十分でない場合も多く、停電状態が長く続く場合には緊急用照明としての利用が困難となる。【０００６】  特許文献３に示されるオイルランプは、燃焼用オイルを使用するものであって、このような燃焼用オイルは家庭での備蓄が十分でない場合も多く、停電状態が長く続く場合には緊急用照明としての利用が困難となる。【０００７】
【先行技術文献】
【特許文献】
【０００８】
【特許文献１】特開２０１８−１２５１８６号公報
【特許文献２】特開２００２−３４３１１８号公報
【特許文献３】実用新案登録第３１７９６９２号公報
【考案の概要】
【考案が解決しようとする課題】
【０００９】  そこで本願考案は、燃料の補充が容易であって信頼性及び取扱性に優れ、災害時等における緊急照明として好適なオイルランプを提供することを目的としてなされたものである。
【課題を解決するための手段】
【００１０】  本願考案ではかかる課題を解決するための具体的手段として次のような構成を採用している。【００１１】  本願の第１の考案に係るオイルランプは、上面が開口し且つその内部に燃料としての食用油が貯留される容器と、所定長さの灯芯と、上記灯芯の一端部を保持する灯芯保持具と、該灯芯保持具を上記容器内に収納し且つ上記灯芯の他端部を上記食用油に浸漬させた状態で該容器側に支持する支持具を備えたことを特徴としている。【００１２】  本願の第２の考案では、上記第１の考案に係るオイルランプにおいて、上記支持具を、上記灯芯保持具に着脱自在に取り付けられる筒体と、可撓性をもつ所定長さの金属線材又は金属帯板材で構成され、その一端が上記筒体に固定されるとともに他端側が上記容器に掛止又は載置される支持材を備えて構成したことを特徴としている。【００１３】  本願の第３の考案では、上記第１又は第２の考案に係るオイルランプにおいて、上記灯芯保持具に、該灯芯保持具内に挿通される上記灯芯にその側方から係止し且つ回転駆動されることで該灯芯を上記灯芯保持具の上端側へ送り出す灯芯送り材を設けたことを特徴としている。
【考案の効果】
【００１４】  （ａ）本願の第１の考案
本願の第１の考案に係るオイルランプにおいては、
（ａ−１）
一般家庭においては常に何らかの食用油がストックされているのが常態であることに鑑みれば、この考案のように、食用油を燃料として用いるオイルランプは、例えば震災等の災害時において停電が発生したような場合であっても、該食用油の補充が容易であることから、緊急用の照明として利用するに好適である、
（ａー２）
また、緊急用照明としては、乾電池式電灯とか灯油式ランプ、あるいは蝋燭が考えられるが、乾電池式電灯とか灯油式ランプは家庭での備蓄が十分ではなく長時間の停電には対処しにくく、さらに蝋燭は転倒の恐れがあり、いずれも長時間に亘る停電状態においては緊急用照明としては利用しにくいが、これに対してこの考案のように、家庭に比較的十分に備蓄されている食用油を燃料として用いるオイルランプは確実に緊急用照明として利用でき、緊急時に対する即応性及び信頼性が高い、
（ａ−３）
さらに、食用油を燃料として用いるが、この食用油はその種類全般を通じて引火点が比較的高いことから、例え上記灯芯の点灯部分の温度が高くなったとしても、食用油には引火しにくく、安全性の高いオイルランプを提供できる、
等の実用的効果が得られる。【００１５】  （ｂ）本願の第２の考案
本願の第２の考案に係るオイルランプにおいては、上記（ａ）に記載の効果に加えて、以下のような特有の効果が得られる。即ち、この考案では、上記支持具を、上記灯芯保持具に着脱自在に取り付けられる筒体と、可撓性をもつ所定長さの金属線材又は金属帯板材で構成され、その一端が上記筒体に固定されるとともに他端側が上記容器に掛止又は載置される支持材を備えて構成したことから、上記支持材の上記容器に対する掛止位置、あるいは載置位置を変更することで、深さの異なる容器にも、径寸法の異なる容器にも、容易に対応して上記灯芯保持具部分、即ち、上記灯芯の点灯部分を上記容器の底部側に貯留された食用油の油面直上に位置させて保持することができ、特に一般家庭のように様々な形状の皿、鍋、缶等が揃い且つこれらが広く上記容器として利用可能であるような場合には、容器選択の自由度が高く、災害時等の緊急時における照明として極めて有用なものとなる。【００１６】  （ｃ）本願の第３の考案
本願の第３の考案では、上記第１又は第２の考案に係るオイルランプにおいて、上記灯芯保持具に、該灯芯保持具内に挿通される上記灯芯にその側方から係止し且つ回転駆動されることで該灯芯を上記灯芯保持具の上端側へ送り出す灯芯送り材を設けたので、例えば、食用油の供給切れ等によって上記灯芯の点灯部分が燃えて炭化し、次の再点灯に備えて灯芯を上方へ送り出す必要が生じた場合は、上記灯芯送り材を回転駆動させることで灯芯を上記灯芯保持具の上端上に出すことができ、例えば、灯芯を直接指先で摘まんで引き上げるような場合に比して、芯出し作業が極めて容易であり、それだけ取扱性に優れたオイルランプを提供することができる。
【図面の簡単な説明】
【００１７】
【図１】  本願考案の第１の実施形態に係るオイルランプの全体斜視図である。
【図２】  図１に示した燃焼具ユニットの拡大した全体斜視図である。
【図３】  上記燃焼具ユニットの分解斜視図である。
【図４】  本願考案の第２の実施形態に係るオイルランプの全体斜視図である。
【図５】  本願考案の第３の実施形態に係るオイルランプの全体斜視図である。
【図６】  本願考案の第４の実施形態に係るオイルランプの全体斜視図である。
【図７】  本願考案の第５の実施形態に係るオイルランプの全体斜視図である。
【図８】  図７に示した燃焼具ユニットの拡大した全体斜視図である。
【考案を実施するための形態】
【００１８】  以下、本願考案のオイルランプを幾つかの実施形態に基づいて具体的に説明する。
「第１の実施形態」
図１には、本願考案の第１の実施形態に係るオイルランプＺを示している。このオイルランプＺは、容器２０内に次述の燃焼具ユニット１を配置して構成される。
【００１９】  「燃焼具ユニット１」
上記燃焼具ユニット１は、図２及び図３に示すように、次述の灯芯保持具２と支持具３を備えて構成される。
【００２０】  上記灯芯保持具２は、所定長さの金属製直管で構成され、その内部には、綿糸を紐状に織り上げて成る綿ロープで構成される灯芯１０が挿通される。また、この灯芯保持具２の軸方向中段部の一側には、軸方向に延びるスリット８が形成されている。さらに、このスリット８部分には、歯車状の灯芯送り材７がブラケット６を介して固定されるとともに、該灯芯送り材７の一部は上記スリット８を通して該灯芯保持具２の内部に突出し、該灯芯保持具２内に挿通される上記灯芯１０の側面に食い込んでこれに係止される。したがって、この灯芯送り材７を回転駆動することで、該灯芯送り材７に係止された上記灯芯１０は、上記灯芯保持具２内に挿通された状態のまま該灯芯保持具２内をその上端部２ａ側に移動して該上端部２ａから上方へ突出され、該灯芯１０の上記灯芯保持具２の上端２ａからの突出量が調整される。
【００２１】  また、上記灯芯保持具２の上記スリット８の形成位置より下側の下端部２ｂ寄り位置には、鍔状のストッパ９が取り付けられている。このストッパ９は、該ストッパ９より下側部分に遊嵌される次述の支持具３の筒体４に対してその位置決め部材として機能する。
【００２２】  「支持具３」
上記支持具３は、上記灯芯保持具２の下端部２ｂに遊嵌される筒体４と、該筒体４の周方向の三位置の外面に固定された三本の支持材５を備えて構成される。なお、上記支持材５は、銅線とか銅帯板等の可撓性をもつ金属素材で構成され、その一端５ａが上記筒体４に固着される一方、他端５ｂは自由端とされている。そして、この支持具３は、上記筒体４を上記灯芯保持具２の下端部２ｂに遊嵌させることで、該灯芯保持具２と一体化されて燃焼具ユニット１を構成する。
【００２３】  「オイルランプＺ」
図１には、第１の実施形態に係るオイルランプＺを示している。このオイルランプＺは、縦長深底のガラスコップで構成され且つその底部２０ａに所要量の食用油Ｌが貯留されたる容器２０内に上記燃焼具ユニット１を収納するとともに、上記支持具３部分が上記食用油Ｌに浸漬される程度の高さ位置において、上記支持具３の上記各支持材５を大きく上方側へ折曲させてその先端部５ｂを上記容器２０の開口縁部２０ｂに掛止することで、所要の高さ位置で該容器２０側に支持され且つ保持される。
【００２４】  そして、このオイルランプＺにおいては、上記灯芯保持具２に設けた上記灯芯送り材７を操作して上記灯芯保持具２の上端２ａからの上記灯芯１０の頂部液位測定装置１０ａの突出量を、適正な点灯が可能となるように調整する。なお、この灯芯送り材７による上記灯芯１０の頂部１０ａの突出量の調整は、例えば、食用油の供給切れ等によって上記灯芯１０の上端１０ａ部分が燃えて炭化し、次の再点灯に備えて灯芯１０を上方へ送り出す必要が生じた場合にも実行される。
【００２５】  以上のように構成された上記オイルランプＺは、上記灯芯１０の先端部１０ａに着火することで点灯されるものであって、主として緊急時の照明として利用されるものである。
【００２６】  そして、このオイルランプＺにおいては、以下のような作用効果が得られる。
（イ）  一般家庭においては常に何らかの食用油Ｌがストックされているのが常態であることに鑑みれば、この考案のように、食用油Ｌを燃料として用いるオイルランプＺは、例えば震災等の災害時において停電が発生したような場合における緊急用の照明として利用するに好適である。
【００２７】  （ロ）  緊急用照明としては、乾電池式電灯とか灯油式ランプ、あるいは蝋燭が考えられるが、乾電池式電灯とか灯油式ランプは家庭での備蓄が十分ではなく長時間の停電には対処しにくく、さらに蝋燭は転倒の恐れがあり、いずれも長時間に亘る停電状態においては緊急用照明としては利用しにくいが、これに対してこの考案のように、家庭に比較的十分に備蓄されている食用油Ｌを燃料として用いるオイルランプＺは確実に緊急用照明として利用でき、緊急時に対する即応性及び信頼性が高い、
【００２８】  （ハ）  食用油Ｌを燃料として用いるが、この食用油Ｌはその種類全般を通じて引火点が比較的高いことから、例え上記灯芯１０が点灯によってその温度が高くなったとしても、食用油Ｌに引火しにくく、安全性の高いオイルランプＺを提供できる。
【００２９】  （ニ）  上記支持具３を、上記灯芯保持具２に着脱自在に取り付けられる筒体４と、可撓性をもつ所定長さの金属線材又は金属帯板材で構成され、その一端が上記筒体４に固定されるとともに他端側が上記容器２０に掛止又は載置される支持材５を備えて構成したことから、上記支持材５を適宜折曲させて該容器２０に対する掛止位置、あるいは載置位置を変更することで、深さの異なる容器２０にも、径寸法の異なる容器２０にも、容易に対応して上記灯芯保持具２部分、即ち、上記灯芯１０の燃焼部分を上記容器２０の底部２０ａ側に貯留された食用油Ｌの油面直上に位置させて保持することができ、特に一般家庭のように様々な形状の皿、鍋、缶等が揃い且つこれらが広く上記容器２０として利用可能であるような場合には、容器選択の自由度が高く、災害時等の緊急時における照明として極めて有用なものとなる。
【００３０】  （ホ）  上記灯芯保持具２に、該灯芯保持具２内に挿通される上記灯芯１０にその側方から係止し且つ回転駆動されることで該灯芯を１０上記灯芯保持具２の上端側へ送り出す灯芯送り材７を設けたので、例えば、食用油Ｌの供給切れ等によって上記灯芯１０の上端部１０ａが燃えて炭化し、次の再点灯に備えて灯芯１０を上方へ送り出す必要が生じた場合は、上記灯芯送り材７を回転駆動させることで灯芯１０を上記灯芯保持具２の上端２ａ上に出すことができ、例えば、灯芯１０を直接指先で摘まんで引き上げるような場合に比して、芯出し作業が極めて容易であり、それだけ取扱性に優れたオイルランプＺを提供することができる。
【００３１】  なお、上記灯芯１０を上記灯芯送り材７によって上記灯芯保持具２の上端２ａ上に出した場合は、再点灯に先立って、上記灯芯１０の先端部１０ａの炭化した部分は良く切れるハサミで切り取り、新しい部分を該灯芯１０の先端部１０ａに露出させておく。これによって、再点灯が容易となり、また再点灯後においては燃焼状態が安定することになる。
【００３２】  また、長期の使用によって上記灯芯１０が短くなりその交換が必要となった場合は、この古い灯芯１０を取り除いた後、新しい灯芯１０を、その上端部１０ａ、即ち、食用油Ｌが燃える側から上記筒体４及び上記灯芯保持具２にその下端部側からそれぞれ挿入する。
【００３３】  （ヘ）  上記オイルランプＺの長期の使用中、上記支持具３の上記各支持材５は、上記容器２０の開口縁部への掛止に伴う折曲動作が繰り返されることで次第に劣化が進行し、新しい支持材５への交換が必要となるが、係る場合、この実施形態のものでは上記支持具３を上記灯芯保持具２側から取り外してこれを新品に交換することで上記各支持材５を同時に新品に交換することができ、該支持材５の交換作業が極めて容易である。
【００３４】  （ト）  上記オイルランプＺは、主として緊急時の照明として利用されるものであるが、係る緊急時の照明以外に、例えば、各種の催しもの会場において装飾用の灯りとして利用するとか、香水成分を含有する食用油Ｌを用いることで癒し効果を期待できる灯りとして利用することもできる。
【００３５】  この実施形態では、上記容器２０として縦長深底のガラスコップを採用しているが、これに限定されることなく、例えば該容器２０を金属製あるいは陶器製の筒体で構成することもできることは勿論である。ただ、この実施形態のように容器２０としてガラスコップを採用した場合、灯火が容器２０を透過して周辺をも照らすことから、緊急時の照明としてより一層効果的であるといえる。
【００３６】  「第２の実施形態」
図４には、本願考案の第２の実施形態に係るオイルランプＺを示している。このオイルランプＺは、その基本構成を上記第１の実施形態における上記オイルランプＺと同じとし、これと異なる点は、上記容器２０を、縦長深底のガラスコップではなく、縦長浅底のガラスコップとしたものであり、上記第１の実施形態のオイルランプＺとは容器２０の高さが異なるものである。
【００３７】  そして、上記容器２０の高さが異なる場合においても、その底部２０ａ側に貯留された食用油Ｌの液面に対する上記燃焼具ユニット１の配置高さは、上記支持具３の上記各支持材５の上記容器２０の開口縁部２０ｂに対する掛止位置、即ち、上記各支持材５の折曲位置の調整によって容易に調整できるものである。
【００３８】  なお、この実施形態のオイルランプＺにおいても、上記第１の実施形態のオイルランプＺと同様の作用効果が得られるものである。
【００３９】  「第３の実施形態」
図５には、本願考案の第３の実施形態に係るオイルランプＺを示している。このオイルランプＺは、上記第１及び第２の実施形態に係るオイルランプＺが共に縦長のガラスコップを上記容器２０として採用していたのに対して、この実施形態ではフライパン状の浅い平皿状形体の容器を採用している。
【００４０】  そして、その底部に所定量の食用油Ｌが貯留された上記容器２０内に上記燃焼具ユニット１を収容し、これを、上記支持具３部分が上記食用油Ｌに浸漬する程度の深さに位置させ、この状態で、上記支持具３の上記各支持材５を横方向に延出させてその先端部５ｂを上記容器２０の開口縁部２及びａに掛止することで、上記燃焼具ユニット１全体を支持し且つ保持するようにしている。
【００４１】  このように、この実施形態のように、上記容器２０として、フライパン状の浅い平皿状形体の容器を用いた場合においても、上記各支持材５の形状を変化させることで、上記燃焼具１を適正な高さ位置で支持することができるものである。
【００４２】  なお、この実施形態のオイルランプＺにおいても、上記第１の実施形態のオイルランプＺと同様の作用効果が得られるものである。
【００４３】  「第４の実施形態」
図６には、本願考案の第４の実施形態に係るオイルランプＺを示している。このオイルランプＺは、上記容器２０として、上記第３の実施形態の容器２０のようにフライパン状の浅い平皿状形体の容器を用いるものであるが、ただ上記第３の実施形態の容器２０よりもその径寸法が大きくて、上記各支持材５の先端部５ｂ側を該容器２０の開口縁部２０ａに掛止できないような場合の例であって、この場合は図６に示すように、上記支持材５の先端部５ｂを上記容器２０の底部２０ａに直接載置するようにしたものである。
【００４４】  なお、この実施形態のオイルランプＺにおいても、上記第１の実施形態のオイルランプＺと同様の作用効果が得られるものである。
【００４５】  「第５の実施形態」
図７には、本願考案の第５の実施形態に係るオイルランプＺを示している。このオイルランプＺは、その全体構成を上記第１の実施形態に係るオイルランプＺと同じにするものであって、これと異なる点は、上記灯芯保持具２を支持する上記支持具３の構成である。
【００４６】  即ち、この実施形態においては、図８に拡大図示するように、上記支持具３の上記筒体４に固定されて上記燃焼具ユニット１を支持する上記支持材５を、可撓性をもつ金属線材又は金属帯板材をコーン形コイルスプリング状に形成し、その軸方向に力を加えることでこれを容易に伸縮させてその軸長（即ち、高さ）を増減調整できるように構成した点である。そして、この支持材５は、その一端５ａを上記筒体４に固定する一方、その他端５ｂ側は上記容器２０の底部２ａに載置できるようにしている。
【００４７】  したがって、上記燃焼具ユニット１は、上記支持材５によって上記容器２０内に収納された状態で所定の高さ位置において支持されるとともに、必要に応じて該支持材５の高さを変化させることで容易に上記燃焼具ユニット１の配置高さを調整することができる。また、上記支持材５をコーン形コイルスプリング状に形成した結果、例えば、上記各実施形態のように上記支持材５を折曲調整方式とした場合に比して、上記燃焼具ユニット１の支持高さの調整作業が容易であり、特に金属線材の折曲調整作業が苦手な女性にあっては好適である。
【００４８】  なお、この実施形態のオイルランプＺにおいても、上記第１の実施形態のオイルランプＺと同様の作用効果が得られるものである。
【産業上の利用可能性】
【００４９】  本願考案に係るオイルランプは、例えば、災害時の緊急時用照明として広く利用し得るものである。
【符号の説明】
【００５０】    １  ・・燃焼具ユニット
２  ・・灯芯保持具
３  ・・支持具
４  ・・筒体筒体
５  ・・支持材
７  ・・灯芯送り材
１０  ・・灯芯
２０  ・・容器
Ｌ  ・・食用油
【図１】
0003219766.tif 000003
【図２】
0003219766.tif 000004
【図３】
0003219766.tif 000005
【図４】
0003219766.tif 000006
【図５】
0003219766.tif 000007
【図６】
0003219766.tif 000008
【図７】
0003219766.tif 000009
【図８】
0003219766.tif 000010